(57)【要約】  独特の熱転写物は、特定イベントの特定マーチャンダイジング物品用として開示される。熱転写物はイベントを広報するために用いられ、イベントのチケットとして使われる。熱転写物は、基礎材料に適用される印刷物を含む。基礎材料は、Ｔシャツ、帽子、セーター、衣服、アクセサリーなどのような衣類品の一部である。印刷物は、テキスト、写真、数字、バーコード、及びＱＲコードを含む視覚的に認識可能な情報である。視覚的に認識可能な情報は、紫外線硬化型インキ、又は他の適切なインキで印刷され得る。熱転写物が衣類品に適用されると、ユーザはイベントのチケットとして衣類品を使用する。衣類品上の熱転写物はスキャンされ、独特のバーコード及び／又はＱＲコードがユーザの座席位置及び他の識別細部事項を識別するために用いられる。
2017524553.tif 000002
【特許請求の範囲】
【請求項１】
本願に記載される独特の熱転写物。
【請求項２】
特定イベントの特定マーチャンダイジング物品用の独特の熱転写物であって、
基礎材料に適用される印刷物を含み、
前記基礎材料は衣類品の一部であり、
前記印刷物は、テキスト、写真、数字、バーコード、及びＱＲコードを含む視覚的に認識可能な情報である独特の熱転写物。
【請求項３】
本願に記載される独特の熱転写物を使用する方法。
【請求項４】
特定イベントの特定マーチャンダイジング物品上に独特の熱転写物を使用する方法であって、
特定視覚的に認識可能な情報と共に前記熱転写物を印刷することと、
衣類品に前記熱転写物を適用することと、
特定イベントの入場券として前記衣類品を使用することと、
前記衣類品上で前記熱転写物をスキャンすることと、
前記特定イベントの入場が許諾されることと、
前記熱転写物のスキャニングからユーザの座席位置を識別することと、
を含む方法。
【発明の詳細な説明】
【技術分野】
【０００１】
関連出願に対する相互参照
本出願は、２０１４年４月７日に出願された米国仮出願番号第６１／９７５，９７７号から優先権を主張し、米国仮出願は本明細書に全体的に参照として含まれる。
【背景技術】
【０００２】
本発明は、一般に、特定マーチャンダイジング（ｍｅｒｃｈａｎｄｉｓｉｎｇ）用の熱転写物に関する。コンサート、スポーツゲーム、見本市などの様々な各イベントで、入場券を所持する及び／又は他の類型の識別情報を提供することが重要である。しかし、従来の入場券は、チケットサイズが小さくて紛失し易い及び／又は紛れ易いという傾向があった。また、紙は、チケット上の印刷物がインクジェット印刷又は他の従来の印刷技術によって形成される、チケットの基礎材料として使われる典型的な媒体である。しかし、紙チケットが風又は雨のような不利な条件下で使われると、チケットのき損につながることがある。また、従来の入場券は、その印刷方法及び複製の容易性から、偽造の対象となりやすい。イベントによって、追加の個人情報がユーザに時々要求されることがあり、その情報は迅速に検索される必要がある。しかし、個人情報が取り扱われる方法において懸念が増加しているため、この類型の個人情報をチケット又は他の大衆アイテム上に含めることは好適でない。
【０００３】
したがって、入場券又は他の類似の入力装置又はキーを含み、且つ大衆に情報を公開することなくユーザの個人情報がロードされるだけでなく、チケットが不利な条件で紛失又はき損されないようにし、偽造されることを防止する装置が必要である。
【０００４】
本発明は、特定イベントの特定マーチャンダイジング物品用の独特の熱転写物を開示する。熱転写物はイベントを広報するために用いられ、そのイベントのチケット／エントランスとして用いられる。一般に、熱転写物は、Ｔシャツのような衣類品に適用される。ユーザはＴシャツをチケットとしてイベントに入る。シャツ上の熱転写物はスキャンされ、独特のバーコード及び／又はＱＲ（Ｑｕｉｃｋ  Ｒｅｓｐｏｎｓｅ）コード（登録商標）を用いて個人情報のようなユーザの座席位置及び他の識別細部事項を識別する。したがって、ユーザは、イベントに入るための紙チケットを必要とせず、風、雨又は他の不利な条件によってチケットがき損されることを懸念しない。その上、ユーザには、コードが適用されたり他の方法で付着される物品を購買する消費者に追加のインセンティブを提供し得る特定イベントの本物の物品又は記念品が提供される。
【発明の概要】
【課題を解決するための手段】
【０００５】
以下、開示した発明の一部の態様の基礎理解を提供するために、簡素化した内容を示す。この内容は、広範囲な概観ではなく、重要な／重大な要素を識別するように又はその範囲を記述するように意図されない。その唯一の目的は、後で提示されるより詳細な説明の序幕として簡素化した形態で一部の概念を開示することである。
【０００６】
一態様において、本願で開示及び請求される発明は、特定イベントの衣類アイテムのような特定マーチャンダイジング物品用の独特の熱転写物ラベルを含む。熱転写物は、イベントを広報するために用いられ、そのイベントに入るためのチケット又はキーとして用いられる。熱転写物は、基礎材料に適用される印刷物を含む。基礎材料は一般的に不織布材料であるが、この技術分野に公知である任意の適切な材料であってもよい。基礎材料は、Ｔシャツ、帽子、セーターなどのような衣類品の一部である。印刷物は、バーコード及びＱＲコード（登録商標）だけでなく、テキスト、写真、及び数字を含む視覚的に認識可能な情報である。視覚的に認識可能な情報は、この技術分野に公知である紫外線硬化型インキ、又は他の適切なインキで印刷され得る。
【０００７】
好適な実施例で、熱転写物は、特定イベントの入場券又はキーであり、任意の適切な熱転写物手段、例えば、熱及び／又は圧力でシャツ、スカーフ、ズボン、半ズボン、ベルト、又は任意の衣類アクセサリーのような衣類アイテムの前面に適用される。ユーザはイベントに入るためのチケット又はキーとして衣類アイテム又はシャツを使用する。熱転写物は、シャツの前面からスキャンされ、独特のバーコード及び／又はＱＲコードが他の識別細部事項を提供するだけでなく、ユーザ又は消費者の座席位置を識別するために用いられる。ユーザにとってはイベントに入るための紙チケットが不要であり、ユーザ又は消費者が衣類アイテムの一部としてチケットを着ているため、その入場券を紛失する心配がない。
【０００８】
前述した及び関連した目標を達成するために、開示された発明の所定の例示的態様は本願において以下の開示及び添付の図面と関連して記載される。しかし、この態様は、本願に開示される原理を用いることができ、それらの全ての態様及びその同等物を含むように意図される様々な方法のいくつかのみを示す。他の利点及び新規な特徴は、図面と共に考慮されるとき、以下の詳細な説明から明らかになるであろう。
【図面の簡単な説明】
【０００９】
【図１】開示されたアーキテクチャーによる独特の熱転写物の正面図である。
【図２】開示されたアーキテクチャーによる衣類品に適用される熱転写物の斜視図である。
【図３】開示された発明に係る広報熱転写物をマッチしながら衣類品に適用される熱転写物の斜視図である。
【発明を実施するための形態】
【００１０】
以下、図面を参照して発明を記載し、同一の参照番号は全般にわたって同一の要素を指すために使用する。以下の記載において、説明の目的で、十分の理解を提供するために多くの詳細な細部事項を提示する。しかし、この詳細な細部事項無しでも発明を実施できるということは明らかであろう。他の例において、周知の構造及び装置は、記載を容易にするためにブロック図の形態で図示される。
【００１１】
本発明は、一部の制御が場所への入場に置かれるスポーツ又は公演、大学又は学業活動、又は類似の状況などの特定イベントに対する所定のマーチャンダイジング物品用の熱転写物ラベルのような独特の熱転写物装置を開示する。熱転写物はイベントを広報するために用いられ、イベントに入るためのチケット又はキーとして用いられる。一般に、熱転写物は衣類のような衣類品に適用され、シャツ、ズボン、帽子、スカーフ又は他の衣服又は衣類アクセサリーを含むことができる。ユーザは、イベントに入るためのチケットとしてシャツを使用する。シャツ上の熱転写物はスキャンされ、独特のバーコード及び／又はＱＲコードが個人情報のようなユーザの座席位置又は他の識別細部事項を識別するために用いられる。したがって、ユーザにはイベントに入るための紙チケットが不要であり、ユーザは風又は雨、又は他の不利な条件によってチケットがき損されることについて懸念しない。
【００１２】
独特な熱転写物は、基礎材料に適用される印刷物を含む。基礎材料は、Ｔシャツ、帽子、セーター、他の衣服又は衣類アクセサリーなどのような衣類品の一部である。印刷物は、テキスト、写真、数字、バーコード、及びＱＲコードを含む視覚的に認識可能な情報である。視覚的に認識可能な情報は、紫外線硬化型インキ、フレキソインキ、デジタルインキ又はトナー、又は他の適切なインキ又はトナーで印刷され得る。熱転写物が衣類品又は衣類アイテムに適用されると、ユーザは、例えば、アイテム上に印刷されたりイメージ化されたコードをスキャンしたり読み取ることによって、イベントの入場券として衣類品を使用する。
【００１３】
ます、図面を参照すると、図１は、特定マーチャンダイジング衣類に適用されて特定イベントを広報し、及び／又はイベントに入るためのチケット又は一部の種類のキー又はガイドとして使われる独特の熱転写物１００を示す。独特の熱転写物１００は、この技術分野に公知である任意の適切な熱転写物形成方法によって形成され得る。例示的な熱転写物は、マサチューセッツ州ウェストボロのＡｖｅｒｙ  Ｄｅｎｎｉｓｏｎ  Ｒｅｔａｉｌ  Ｂｒａｎｄｉｎｇ ＡＮＤ  Ｉｎｆｏｒｍａｔｉｏｎ  Ｓｅｒｖｉｃｅｓから入手可能であり、ＵＮＩＴＩ（商標）、ＡＧＩＬＩＴＹ（登録商標）及びＡＶＥＲＹ  ＤＥＮＮＩＳＯＮ（登録商標）のブランド名で販売される。本発明と関連して使用可能な熱転写物は、特定の体育イベントに適し得る通風可能なフレキシブル転写物を含むことができる。
【００１４】
また、独特の熱転写物１００は、印刷物１０２をさらに含む。印刷物は、特定イベントに関連するバーコード及びＱＲコード（登録商標）だけでなく、テキスト、写真、及び数字を含む視覚的に認識可能な情報である。この技術分野に公知であるように、特定イベントに適用される限り、いかなる適切な印刷物も熱転写物１００の印刷物１０２に含まれてもよい。
【００１５】
例えば、人の顔又は他のイメージは熱転写物１００上に印刷され得る。イベントに関連する人の顔又は一般参加者の顔を含むことは、独特の熱転写物１００の提案された特異性を最大化する。また、スポンサーに関連する独特のカラー及びスローガンのようなスポンサーの他の識別情報だけでなく、スポンサーのイメージ又は特定イベントのロゴは熱転写物１００上に印刷され得る。
【００１６】
一般に、特定イベントへの入場又は入場券が熱転写物１００上に印刷され、特定イベントのユーザ及び／又は座席位置が明確に識別される。また、特定イベントに関する他の細部事項は、図３と関連して記載されるように、入場情報の領域に印刷され得る。また、入場券は、バーコード１０４、ＱＲコード１０６、及び他の識別情報を含むことができる。バーコード１０４は、データベースに保存される個別識別情報に該当し、熱転写物１００上に印刷され得るため、特定イベントのユーザ及び座席位置を明確に識別する。ＱＲコード１０６は、データベースに保存されるユーザに関する特定情報及び／又は個人情報に関連する。ＱＲコード１０６は熱転写物１００上に印刷され得るため、ユーザを明確に識別し及び／又は特定イベントのユーザに関する情報を識別する。
【００１７】
さらに、スポーツゲーム、コンサート、グルメイベント、見本市、貿易博覧会、エンターテイメント又は遊園地などのような任意の特定イベントが熱転写物と共に使用され得る。具体的に、入場券、キー、又は適切な識別基準がイベントへの入場を許すために要求される限り、この技術分野に公知であるいかなる適切なイベントを識別するためにも熱転写物１００を用いることができる。
【００１８】
また、印刷物１０２は、この技術分野に公知である任意の適切なインキで印刷される。例えば、印刷物１０２は紫外線硬化型インキで印刷され得るため、光学的に読み取り可能な情報を含み、風、雨、及び光に対する優れた耐久性を有し、より簡単且つ低コストで生産可能な印刷物１０２を提供する。また、例えば、紫外線硬化性（ＵＶ）インキは、偽造防止機能のために用いられ得るため、入場券／シャツが本物であり、ユーザが適法に取得したことを保障する。紫外線硬化性インキは、紫外線輻射で照射されることによって硬化されるインキであれば、いかなる類型であってよい。視覚的に認識可能な情報及び不利な条件への耐久性を提供するインキであれば、他の適切なインキがこの技術分野に公知である印刷物１０２に用いられてもよい。
【００１９】
図２に図示するように、熱転写物１００は、基礎材料１０８に適用される。基礎材料１０８は一般的に織物又は不織布材料、天然又は合成基礎材料であるが、この技術分野に公知であるいかなる適切な材料であってもよい。基礎材料１０８は一般に、この技術分野に公知である普通の方法で生産される。また、基礎材料１０８は一般的に、この技術分野に公知であるＴシャツ、帽子、セーター、ジャージー、衣類アクセサリーなどのような衣類品１１０、又は任意の他の適切な衣類品１１０の一部である（物品に含まれる）。熱転写物１００は、熱転写物を適用するためのこの技術分野に公知である任意の適切な方法によって衣類品１１０に適用される。製造者又はユーザの所望及び／又は必要によって、熱転写物１００は、衣類品１１０の内部又は外部に適用されたり、衣類品１１０のタグ上にも適用される。
【００２０】
これによって、衣類品１１０は特定イベントの入場券となり、紙チケットが不要になる。入場券として衣類品１１０及び熱転写物１００を使用することは、特定イベントのスポンサーにはより多い事業を発生させる可能性がある。例えば、入場券そのものだけでなく、シャツ及び帽子がスポンサー企業のカラーで製造されてもよく、熱転写物１００はスポンサーのイメージ又はロゴを含むことができる。したがって、シャツが入場券であれば、潜在的に、特定イベントの全ての参加者は、スポンサー企業のカラーだけでなく、スポンサーのイメージ又はロゴを着るようになる。入場券として販売されていない衣類品１１０は無効であり、入場券機能無しで衣類品１１０が販売されてもよい。また、熱転写物１００は、ＵＶインキなどのような偽造防止機能を含み得るため、入場券／シャツが本物であり、ユーザが適法に取得したことを保障する。
【００２１】
次に、図３を参照すると、衣類品１１０に、熱転写物１００で提供される企業のスポンサーロゴ１２４をマッチする追加熱転写物１２０が提供される、本発明の追加の適応が提供される。さらに、人間が読み取れる他の表示１２２は、特定イベントの日付又はイベントの名のような、着用者のための記念部分を作るために提供され得る。この実施例で、熱転写物１２０，１００の表示のマッチングは、潜在的に一層美学的にアピ−ルする物品を作り、潜在的に物品の真正性を増加させる。
【００２２】
本発明を以下の方式で形成することができる。製造者又はユーザは、彼らの特定イベントへの必要及び／又は所望に基づいて熱転写物１００をデザインする。例えば、製造者又はユーザは、Ｃｌｅｖｅｌａｎｄ  Ｃａｖａｌｉｅｒｓ（登録商標）又はＣＡＶＳ（登録商標）ｇａｍｅの入場券である熱転写物１００をデザインすることができる。製造者又はユーザは、この技術分野に公知である任意の適切なインキで熱転写物１００を印刷して所定のデザイン（すなわち、入場券）を作る。製造者又はユーザは、どのような類型のマーチャンダイジング材料（又は衣類品１１０）に熱転写物を適用するかを判断する。例えば、製造者又はユーザは、Ｔシャツ、セーター、帽子、ジャージーなどに熱転写物１００を適用することができる。次に、製造者又はユーザは、熱転写物を適用するためのこの技術分野に公知である任意の適切な方法によって特定Ｔシャツ、セーター、帽子、ジャージーなどに熱転写物１００を適用する。その後、要求があれば、製造者は、マッチングする表示熱転写物１２０を適用したり、あらかじめ印刷された熱転写物１２０を有する基礎原料（ｂａｓｅ  ｓｔｏｃｋ）から始めて、入場部分に熱転写物１００を適用することができる。
【００２３】
本発明が形成されると、熱転写物１００を有する衣類品１１０は特定イベントの入場券として販売され得る。入場券として販売されていない衣類品１１０は無効であり、衣類品１１０は入場券機能無しで販売されてもよい。その後、衣類品１１０及び熱転写物１００は特定イベントで着用され得る。具体的に、ユーザは入場券としてＴシャツを用いてイベントに入る。熱転写物１００はシャツの前面からスキャンされ、独特のバーコード及び／又はＱＲコードがユーザの座席位置及び他の識別細部事項を識別するために用いられる。ユーザは紙チケット無しでイベントに入り、入場券を紛失する心配がなく、チケットが風、雨又は他の不利な条件でき損されることを懸念しなくて済む。
【００２４】
上記の記載は、請求された発明の例を含む。もちろん、請求された発明を記載するために構成要素及び方法の可能な全ての組合せを記載することは不可能であるが、当業者には請求された発明の多くの更なる組合せ及び順列が可能であることが認識できる。したがって、請求された発明は、添付する請求項の思想及び範囲に含まれる全てのそのような変更、修正及び変形を包括するように意図される。また、用語「含む（ｉｎｃｌｕｄｅ）」が詳細な説明又は請求項で使われる限りでは、かかる用語は、請求項で転換語として使われるときに解釈される「含む（ｃｏｍｐｒｉｓｅ）」と同じ用語「含む（ｃｏｍｐｒｉｓｅ）」と類似な方式で含まれるように意図される。
【図１】
2017524553.tif 000003
【図２】
2017524553.tif 000004
【図３】
2017524553.tif 000005
【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
特定イベントの特定マーチャンダイジング物品用の独特の熱転写物であって、
基礎材料に適用される印刷物を含み、
前記基礎材料は、衣類品の一部であり、
前記印刷物は、視覚的に認識可能な情報である、独特の熱転写物。
【請求項２】
前記視覚的に認識可能な情報は、テキスト、写真、数字、バーコード、及びＱＲコード（登録商標）を含む、請求項１に記載の独特の熱転写物。
【請求項３】
前記テキスト及び写真は、スポンサーのイメージ又は前記特定イベントのロゴを含む、請求項２に記載の独特の熱転写物。
【請求項４】
前記テキスト及び写真は、前記特定イベントの入場又は入場券を含む、請求項２に記載の独特の熱転写物。
【請求項５】
前記特定イベントの入場又は入場券は、前記特定イベントのユーザ及び座席位置を識別する、請求項４に記載の独特の熱転写物。
【請求項６】
前記バーコードは、前記特定イベントのユーザ及び／又は座席位置を明確に識別するためにデータベースに保存され、前記熱転写物上に印刷される個人識別情報に該当する、請求項２に記載の独特の熱転写物。
【請求項７】
前記ＱＲコード（登録商標）は、ユーザを明確に識別する及び／又は前記特定イベントのユーザに関する情報を識別するためにデータベースに保存され、前記熱転写物上に印刷されるユーザに関する特定及び／又は個人情報に関連する、請求項２に記載の独特の熱転写物。
【請求項８】
前記特定イベントは、スポーツゲーム、コンサート、見本市、エンターテイメント又は遊園地、貿易博覧会、及びグルメイベントを含む、請求項１に記載の独特の熱転写物。
【請求項９】
前記印刷物は、紫外線硬化型インキで印刷される、請求項１に記載の独特の熱転写物。
【請求項１０】
前記紫外線硬化型インキは、光学的に読み取り可能な情報を含み、風、雨、及び光に優れた耐久性を有し、より簡単で低コストで生産可能な印刷物を提供する、請求項９に記載の独特の熱転写物。
【請求項１１】
前記紫外線硬化型インキは、前記入場券が本物であり、前記ユーザが適法に取得したことを保障するために偽造防止機能に用いられる、請求項１０に記載の独特の熱転写物。
【請求項１２】
前記基礎材料は、織物材料、不織布材料、天然材料、又は合成材料を含む、請求項１に記載の独特の熱転写物。
【請求項１３】
前記衣類品は、Ｔシャツ、帽子、ジャージー、セーター、又は衣類アクセサリーを含む、請求項１に記載の独特の熱転写物。
【請求項１４】
特定イベントの特定マーチャンダイジング物品用の独特の熱転写物であって、
基礎材料に適用される印刷物を含み、
前記基礎材料は、衣類品の一部であり、
前記印刷物は、テキスト、写真、数字、バーコード、及びＱＲコード（登録商標）を含む視覚的に認識可能な情報である、独特の熱転写物。
【請求項１５】
前記テキスト及び写真は、スポンサーのイメージ又は前記特定イベントのロゴを含む、請求項１４に記載の独特の熱転写物。
【請求項１６】
前記衣類品は、前記スポンサーのイメージ又は前記特定イベントのロゴをマッチする追加の熱転写物を含む、請求項１５に記載の独特の熱転写物。
【請求項１７】
前記テキスト及び写真は、前記特定イベントのユーザ及び座席位置を識別する特定イベントの入場及び入場券を含む、請求項１４に記載の独特の熱転写物。
【請求項１８】
前記印刷物は、紫外線硬化型インキで印刷される、請求項１４に記載の独特の熱転写物。
【請求項１９】
前記紫外線硬化型インキは、前記入場券が本物であり、前記ユーザが適法に取得したことを保障するために偽造防止機能に用いられる、請求項１４に記載の独特の熱転写物。
【請求項２０】
特定イベントの特定マーチャンダイジング物品上に独特の熱転写物を使用する方法であって、
特定の視覚的に認識可能な情報と共に前記熱転写物を印刷することと、
衣類品に前記熱転写物を適用することと、
特定イベントの入場券として前記衣類品を用いることと、
前記衣類品上に前記熱転写物をスキャンすることと、
前記特定イベントの入場が許諾されることと、
前記熱転写物のスキャニングからユーザの座席位置を識別することと、
を含む方法。
【国際調査報告】
2017524553.tif 000006
2017524553.tif 000007
2017524553.tif 000008
2017524553.tif 000009
2017524553.tif 000010